(57)【特許請求の範囲】
【請求項１】
接近した間隔に配置されて伸張するループを形成する導電性要素から成る、広帯域のアンテナであって、
前記ループは、ボウタイ構造を形成し、ＶＨＦおよびＵＨＦ周波数帯域にわたり受信し、
前記ループは、前記ボウタイ構造の中間点に近い位置にある、前記導電性要素の各端部に給電点を有し、
前記伸張する導電性ループは、ディッシュ形マイクロ波反射器の導電性材質の一部で形成され、
前記ループは、前記ディッシュ形マイクロ波反射器の動作周波数の波長の１／１０以下の非導電性ギャップにより、前記ディッシュ形マイクロ波反射器の前記導電性材質から分離される、前記広帯域アンテナ。
【発明の詳細な説明】
産業上の利用分野
本発明は、テレビジョン信号のような放送信号を受信するアンテナに関する。
発明の背景
ＶＨＦ帯域の受信に使用される従来の屋内ＴＶアンテナは、各素子が４〜６フィートの最大長を有しダイポールを形成する１対の伸縮性素子を使用する。２つの素子は通常、広げてダイポールの長さを伸ばしたり縮めたりできるように取り付けられ、普通“ラビット・イヤー”と呼ばれている。また、テレビのＵＨＦ帯域を屋内で受信するには別のアンテナを備えるのが通例である。典型的な屋内のＵＨＦアンテナは、約７  １／２インチの直径を有するループである。
従来の屋内アンテナ・システムに関連する１つの問題は、ＶＨＦとＵＨＦの放送信号について１個のアンテナだけではＶＨＦとＵＨＦの周波数帯域全体にわたって能率的な受信が得られないので、２個の別々のアンテナが必要になることである。第２の問題は、このような従来の屋内アンテナは、普通に受信する交番通路信号を弁別する指向性が十分でなく、そのため、しばしばテレビ画像にゴーストを生じる。第３の問題は、“ラビット・イヤー”アンテナは、その長い素子および全体的構成の故に、屋内の環境では見苦しいことである。
ＶＨＦおよびＵＨＦ周波数帯域全体にわたり能率的に受信するために、低コストで、小型で、堅固なアンテナが必要とされる。更に、多重通路信号を弁別するのに十分な指向性を有するアンテナが必要とされる。更に、屋内でも屋外でも使用できるアンテナが必要とされる。
発明の概要
本発明は、上述した問題を解決するために、接近して間隔を置かれ長く伸びてループを形成する導電性素子から成るアンテナを提供する。この導電性ループは、ループの長さの中間点に位置する１対の給電点を有し、導電性ループはボウタイ（蝶ネクタイ）の形を成し、ＶＨＦとＵＨＦの周波数帯域全体にわたり受信が得られる。本発明は、図面を参照することにより、さらによく理解することができる。
請求の範囲と実施例との対応関係を図面で使われている参照番号で示すと次の通りである。
１．接近した間隔に配置されて伸張するループを形成する導電性要素（２３０）から成る、広帯域のアンテナであって、
前記ループは、ボウタイ構造を形成し、ＶＨＦおよびＵＨＦ周波数帯域にわたり受信し、
前記ループは、前記ボウタイ構造の中間点に近い位置にある、前記導電性要素の各端部に給電点（１３、１４）を有し、
前記伸張する導電性ループは、ディッシュ形マイクロ波反射器（１００）の導電性材質の一部で形成され、
前記ループは、前記ディッシュ形マイクロ波反射器の動作周波数の波長の１／１０以下の非導電性ギャップ（１２）により、前記ディッシュ形マイクロ波反射器の前記導電性材質から分離される、前記広帯域アンテナ。
【図面の簡単な説明】
第１図は、衛星放送およびローカル放送の信号を受信する、二目的用アンテナの実施例を示す。
第２図は、第１図に示すアンテナのディッシュ（ｄｉｓｈ：皿）形反射器の実施例を示す。
第３図は、独立形の折返しボウタイ・アンテナを示す。
第４図は、第１図と第２図に示す特徴を組み入れている二目的用アンテナ・システムの別の実施例を示す。
第５図は、電圧制御されるアンテナ・スイッチ／増幅器の実施例を概略図で示す。
第６図は、トーン制御されるアンテナ・スイッチ／増幅器の実施例を概略図で示す。
第７図は、周波数変換器およびアンテナ・スイッチ／増幅器のための制御信号を発生する電源調整回路の実施例を概略図で示す。
第８図は、スイッチ式折返しボウタイ・アンテナに関連するアンテナ・パターンを示す。
第９−ａ図は、衛星放送およびローカル放送の信号を受信する、二目的アンテナの別の実施例を示す。
第９−ｂ図は、第９−ａ図に示す高域フィルタを概略図で示す。
第１０図は、第９−ａ図に示す特徴を含んでいる二目的アンテナ・システムの別の実施例を示す。
第１１−ａ図は、第１０図に示すアンテナ・システムの反射器の実施例を示す。
第１１−ｂ図は、第１１−ａ図に示す反射器の実施例の特徴を示す。
以上の図面で、同一または同様な構成要素は同じ参照番号で表されている。
発明の詳細な説明
第１図は、第１の周波数帯域にあり、別の周波数帯域の信号（例えば、地上放送局からのＶＨＦおよびＵＨＦ信号）も受信するよう変更されている信号、例えばマイクロ波直接放送衛星（ＤＢＳ：Ｄｉｒｅｃｔ  Ｂｒｏａｄｃａｓｔ  Ｓａｔｅｌｌｉｔｅ）信号を受信するためのディッシュ形アンテナを示す。第１図に示す二目的アンテナは、ディッシュ形反射器１００、周波数変換器１１、および周波数変換器支持アーム１２０を含む。周波数変換器１１は、例えば、従来の低雑音ブロック変換器（ＬＮＢ：Ｌｏｗ  Ｎｏｉｓｅ  Ｂｌｏｃｋ）である。ディッシュ形反射器１００は直接放送衛星（ＤＢＳ）から送信されるマイクロ波を反射し焦点に集める。周波数変換器支持アーム１２０は、反射されたマイクロ波信号の焦点に周波数変換器１１を配置させる。
これらのディッシュ形反射器は、いわゆる“射出成形（ｉｎｊｅｃｔｉｏｎ  ｍｏｌｄｉｎｇ）”法を使用して製作することができる。この方法では、マイクロ波反射器を形成するために、軽量の絶縁材（例えば、プラスチックまたはガラス繊維）で通常作られるディッシュ形部材の表面に、導電性の金属塗料（例えば、ニッケルまたは銅の塗料）が塗られる。また、本発明の原理に従って、ＤＢＳ信号を受信する反射器は、ＶＨＦ／ＵＨＦ帯域の信号を受信するアンテナ素子も含む。射出成形で生産されるディッシュ形反射器の場合、ＶＨＦ／ＵＨＦ帯域の信号を受信するための構成要素は、以下に詳しく説明するように、導電性塗料のマスキング（ｍａｓｋｉｎｇ）により、ディッシュ形部材の表面に形成される。以下に説明するように、ディッシュ形反射器にＶＨＦ／ＵＨＦ素子を組み込んでも、マイクロ波反射器の相対的な機能を低下させないことが実験的に確かめられている。
ディッシュ形部材の表面にＶＨＦ／ＵＨＦアンテナ素子を形成する工程では、導電性塗料を除去して、細い境界線（第１図の１２）を生じる。これらの境界線は、ＶＨＦ／ＵＨＦアンテナ・パターンを導電性材質の他の部分から分離する。理論で予測され且つ実験で確証されたように、このような細いラインは、マイクロ波放送信号の波長の約１０分の１（またはそれ以下）に保たれている限り、反射器の総合的性能に悪影響を及ぼさない。参考として、Ｊｏｈｓｏｎ、Ｒｉｃｈａｒｄ  Ｃ．およびＪａｓｉｋ，Ｈｅｎｒｙの「アンテナ用基準ガイド」（ＭｃＧｒａｗ  Ｈｉｌｌ，１９８７）における“パラボロイダル・グリッド反射器”を参照されたい。
例えば、米国で利用できるＲＣＡのディジタル衛星サービス（ＤＳＳ）については、放送信号は１２．２ＧＨｚ〜１２．７ＧＨｚ（Ｋｕ帯域のＫ４部分）の間で伝送される。従って、許容されるラインの幅は約１０分の１インチ（２．５ｍｍ）またはそれ以下であろう。しかしながら、実験により、ライン幅が８分の１インチ（３．０ｍｍ）以下である限り、マイクロ波の受信性能は低下しないことが証明されている。
本発明の別の特徴は、ＶＨＦ／ＵＨＦアンテナ素子の構造に関する。この構造は、第２−ａ図に示されており、以後“折返しボウタイ”アンテナと称する。この折返しボウタイ・アンテナは、ＶＨＦおよびＵＨＦテレビジョン周波数帯域（米国では５４〜８７０ＭＨｚ）全体にわたりテレビジョン放送信号を受信するための調節を必要としないことが判明している。これは、折返しボウタイ・アンテナは広周波数帯域を呈し、ＶＨＦ低帯域テレビ放送周波数の下端（５４ＭＨｚ）にまで伸長するからである。例えば、Ｊｏｈｎ  Ｄ．Ｋｒａｕｓによるアンテナ（３４０〜３５８頁ＭｃＧｒａｗ  Ｈｉｌｌ、第２版、１９８８参照）から、ボウタイ形の双円錐アンテナは、クラシックのダイポール・アンテナよりも比較的広い周波数帯域幅を有することが知られている。第２−ｄ図は、実験的な結果を示し、折返しボウタイ・アンテナは、ボウタイ形の双円錐アンテナまたは折返しダイポール・アンテナのような従来設計よりも著しく広い帯域幅を特徴とすることを示している。
上述のように、折返しボウタイ・アンテナは、射出成形法を使用することにより、ディッシュ形反射器上に容易に形成することができる。これは二目的アンテナの大量生産のために望ましい。また、このようにＶＨＦ／ＵＨＦアンテナを備える費用は、ディッシュに別個のアンテナを取り付ける場合と比較して、著しく減少する。例示的な折返しボウタイ・アンテナの物理的寸法は実験的に定められており、第２−ａ図に示されている。特に、幅１８インチ（４６ｃｍ）のディッシュ・アンテナ１００の場合、折返しボウタイ・アンテナ素子の長さ２２０は１８インチ（４６ｃｍ）、幅２１０は９インチ（２３ｃｍ）である。
導電性塗料も、ディッシュ上の折返しボウタイ・アンテナの広帯域性に寄与している。いかなる導電性塗料も、固有抵抗があるので完全に導電性ではない。例えば、直径１８インチ（４６ｃｍ）のディッシュ上にニッケル塗料で形成された折返しボウタイ・アンテナは約１７オームの全抵抗を有する。この抵抗は、受信した信号を弱めるので、折返しボウタイ・アンテナの性能を低下させると思われるかもしれないが、この抵抗では、ＶＨＦ／ＵＨＦテレビジョン周波数の全帯域にわたりアンテナのインピーダンス整合がより良くなるので、事実、折返しボウタイ・アンテナの総合的性能が高められる。この抵抗は、アンテナに対して広帯域負荷として機能する。アンテナのより良いインピーダンス整合により得られる改善は、抵抗により引き起こされる信号の損失を上回る。信号の損失とインピーダンス整合との間の妥協（ｃｏｍｐｒｏｍｉｓｅ）は、導電性塗料の抵抗率を変化させることにより最適化される。
より大きなディッシュ形反射器を使用し、折返しボウタイ・アンテナ素子のアレイを使用することにより、ＶＨＦ／ＵＨＦ受信が更に改善される。例えば、寸法が１８インチ以上のディッシュを使用することもでき、第２−ａ図に関して述べた寸法の折返しボウタイ・アンテナ素子を、第２−ｂ図に示すように、２個垂直に重ねたアレイとして構成することもできる。この複数の素子から受信される信号を電気的に積分することにより、３ｄＢの付加的な利得が得られる。
第２−ａ図において、折返しボウタイ・アンテナ２３０の素子の中央の給電点から分割され、それぞれの端部（１５と１６）は反射器１００の外縁部と一致する。その２個の素子は、一方の側１７で接続され、他方の側で、それぞれの給電点（１３と１４）で分離されている。折返しボウタイ・アンテナの構造は、第１図および第２−ａ図のディッュの表面に形成されるほかに、第３図に示すように、独立形のアンテナとして設計することもできる。独立形アンテナの場合、１８インチ（４６ｃｍ）のディッシュに形成される上述した実施例よりもアンテナを小さくすることが好ましい。何故ならば、小さいアンテナの方が多くの異なる位置に容易に置くことができるからである。第３図は、機能と寸法との間の妥協である、比較的小型の折返しボウタイ・アンテナ３０を示す。実験の結果、アンテナ３０は長さ１８インチ（４６ｃｍ）、幅４インチ（１０ｃｍ）のときに、許容される性能の得られることが証明されている。アンテナ３０の素子は、種々の技術を使用して、例えば、従来の回路盤の上にアンテナの構造をエッチングして、あるいは基板材料の非導電性シートの上にアルミナまたは銅箔をテーピング（ｔａｐｉｎｇ）して、構成することができる。テレビその他の放送信号を受信するために、ある程度の指向性を持つアンテナを動作させることが好ましい。何故ならば、指向性のあるアンテナは、より大きな信号が得られるのみならず、望ましくない多重通路信号および他の妨害を排除するからである。折返しボウタイ・アンテナは“数字８”のアンテナ・パターンを有する。
第２−ｃ図に示すように、最適のＶＨＦ／ＵＨＦ受信を得るために、アンテナ・パターンのローブ（ｌｏｂｅ）がＶＨＦ／ＵＨＦテレビの送信アンテナの方に向けられるように受信アンテナを配置すべきである。アンテナを複数の送信アンテナの方に向ける１つの方法はアンテナを機械的に回転させることである。しかしながら、もし折返しボウタイ・アンテナが、第１図および第２−ａ図に示すように、ディッシュ形反射器に組み込まれている場合、アンテナを物理的に回転させることは望ましくない。何故ならば、ＤＢＳ信号を受信するアンテナは、典型的に、特定の衛星の方向を指す位置に固定されるからである。また、アンテナを物理的に回転させるには、回転装置のためにかなりの付加的費用を伴う。更に、アンテナを反対の方向に（すなわち、９０度）回転させるのに約１０〜２０秒かかるであろう。使用者がチャンネルを変える度に、アンテナの最適の方向を見つけるためにアンテナを調節する必要があるかもしれない。
本発明の別の特徴は、切替え可能な折返しボウタイ・アンテナ・システムを提供することにより、アンテナを回転させる必要を無くす。第４図に示すように、切替え可能な折返しボウタイ・アンテナ・システムは、２個の折返しボウタイ・アンテナが直角に組み合わされている。小さい方の折返しボウタイ・アンテナ４３０は、周波数変換器支持アーム１２０の下に据え付けられている。３つの出力信号（すなわち、小さい方の折返しボウタイ・アンテナ４３０の出力、ディッシュ上の折返しボウタイ・アンテナ２３０の出力、そして周波数変換器１１の出力）が別々に、スイッチ／増幅器４０に供給される。インピーダンス整合のために、２個の４：１バルン変成器５０，６０が２個のそれぞれの折返しボウタイ・アンテナに設けられる。給電点１３，１４に対する端子は反射器の背後に取り付けられ、バルン変成器５０はディッシュの下に取り付けられる。制御回路６０から発生される制御信号に応答して、スイッチ／増幅器４０は、希望するＶＨＦ／ＵＨＦ送信アンテナの方向に向けられた折返しボウタイ・アンテナからの出力信号を選択する。スイッチング動作の制御は、以下に詳しく述べる。
１本の同軸ケーブルは、複数の異なる信号、例えば、（１）ダウン・コンバートされるマイクロ波信号；（２）ＶＨＦ／ＵＨＦ放送信号；（３）周波数変換器１１用およびスイッチ／増幅器用のＤＣ電源；および（４）スイッチ／増幅器４０用のスイッチング制御信号を伝えることができる。このため、二目的アンテナ・システム全体が簡単に据え付けられる。例示的な配線接続を第４図に示す。
第５図は、スイッチ／増幅器４０の例示的回路５００を概略図で示す。スイッチ／増幅器５００は、増幅器５２０，５３０；スイッチング回路Ｄ１，Ｄ２；スイッチング制御回路５１０；およびダイプレクス（ｄｉｐｌｅｘ）・フィルタ５６０を含んでいる。以下に説明するように、第５図の回路におけるスイッチング動作はＤＣレベルによって制御される。第６図は別の例示的回路６００を示し、この回路は、以下に説明するように、ＡＣスイッチング制御信号（例えば、２２ｋＨｚの信号）に応答する。スイッチ／増幅器４０のこの実施例はどちらも、折返しボウタイ・アンテナ２３０，４３０を非常に素早く選択する。
第５図で、２個の同じ増幅器５２０，５３０はトランジスタＱ３とＱ４を含んでいる。各増幅器は約１０ｄＢの利得を与える。ＶＨＦ／ＵＨＦテレビジョン周波数帯域（５４〜８７０ＭＨｚ）にわたり、利得、入力および出力インピーダンスを調節するために、従来のコンピュータ解析および設計技術を使用することができる。入力フィルタＵ１とＵ２は、５５ＭＨｚ以下の電位妨害を排除する。スイッチングは、増幅器５２０と５３０に交互に加えられる電力に応答してＰＩＮダイオードＤ１とＤ２によって行われる。スイッチング電圧供給回路５１０は、節点Ｖ２が８ボルトのとき、節点Ｖ１がゼロ・ボルトになるように構成される。従って、節点Ｖ２が８ボルトのとき、トランジスタＱ３のコレクタ（すなわち、ＰＩＮダイオードＤ２のアノード電極）はＲ１に因り５ボルトになり、トランジスタＱ４のコレクタ（ＰＩＮダイオードＤ１のアノード）はゼロ・ボルトになる。このため、ＰＩＮダイオードは順方向にバイアスされ、ＲＦ信号に対し導通状態となる。従って、入力Ａからの増幅された信号は出力端子５３０に向けられる。他方、Ｄ１は逆バイアスされ、入力Ｂからの信号を阻止する。更に、トランジスタＱ４に電圧が供給されないので、増幅器５３０は、入力Ｂからの信号に正の利得を与えず、実際には、入力Ｂからの信号を減衰させ、更に、入力Ｂを出力端子５３０から絶縁させる。また、節点Ｖ２がゼロ・ボルトのとき、節点Ｖ１は８ボルトになる。このような状況下では、前述の動作は逆になり、入力Ｂからの信号は増幅され、出力端子５３０に向けられる。
上述のように、テレビジョン・システム（例えば、衛星チューナまたはテレビ受像機）内のＤＣ電源回路は、同軸ケーブルの中心導体を介して、スイッチ／増幅器４０にＤＣ電源電圧を供給することができる。第５図と第６図に示す実施例で、このようなＤＣ電源電圧（例えば、１０〜２５ボルト）は、インダクタンスＬ５によりＶＨＦ／ＵＨＦ放送信号から分離され、レギュレータＲＥＧの入力５１５に供給される。レギュレータＲＥＧは、スイッチ／増幅回路全体に、調整されたＤＣ電源電圧（例えば、８ボルト）を供給する。
以下に詳しく説明するように、テレビジョン・システムから送信される、アンテナ・スイッチング制御情報（すなわち、ＤＣ電源電圧の変化）に応答して、制御回路５１０は、ＰＩＮダイオードＤ１，Ｄ２にそれぞれ異なるＤＣバイアス電圧を供給する。このテレビジョン・システムからのＤＣ電源電圧は、レギュレータＲＥＧの入力に供給されるだけでなく、抵抗Ｒ１６とＲ１７を含む分圧器５１１を介して、トランジスタＱ２のベース電極にも供給される。調整されたＤＣ電源電圧はトランジスタＱ２のエミッタ電極に供給される。テレビジョン・システムが、比較的低いＤＣ電源電圧（例えば、１４．８ボルト）を送ると、分圧器５１１は、より低いバイアス電圧（例えば、７．４ボルト以下）をトランジスタＱ２のベース電極に供給し、そのため、トランジスタＱ２はオンになる（すなわち、導通状態となる）。従って、調整された電源電圧が節点Ｖ２に現れ、ＰＩＮダイオードＤ２を順方向にバイアスする。他方、トランジスタＱ１はオフ（すなわち、非導通状態）になり、節点Ｖ１はゼロ・ボルトになる。従って、増幅器５３０とダイオードＤ２に電力は供給されない。抵抗Ｒ１８はトランジスタＱ１にベース電流を供給し、そのため、Ｑ２がオフになるとＱ１は完全にオンになる。もっと高いＤＣ電源電圧（例えば、１４．８ボルト以上）の場合、Ｑ２は非導通状態となり、Ｑ１は導通状態となる。抵抗Ｒ１８を加えることにより、制御回路５１０はその閾値レベル（例えば、１４．８ボルト）の付近で安定性が得られる。
ダイプレクス・フィルタ５６０は低域フィルタ５４０と高域フィルタ５５０を含む。ダイプレクス・フィルタ５６０は、ＶＨＦ／ＵＨＦ放送信号（５５〜８０３ＭＨｚ）と変換されたマイクロ波信号（９５０〜１４５０ＭＨｚ）を合成するように設計されており、そのため、これらの信号は１本の同軸ケーブルの同一の中心導体を通して伝送することができる。さらに詳しく説明すると、ＶＨＦ／ＵＨＦ放送信号のための低域フィルタ５４０（例えば、８０３ＭＨｚのカットオフ周波数を有する）は、インダクタンスＬ６，Ｌ７およびコンデンサＣ１１を含む。変換されたマイクロ波信号のための高域フィルタ５５０（例えば、９５０ＭＨｚのカットオフ周波数を有する）はインダクタンスＬ８、コンデンサＣ１２，Ｃ１４を含む。インダクタンスＬ９，Ｌ１０およびコンデンサＣ１３は、ＤＣ電源電圧を周波数変換器１１に伝えるために設けられる。
第６図は、スイッチ／増幅器４０の別の実施例の概略図を示す。この実施例では、ＡＣ信号（例えば、２２ｋＨｚで１．５ボルトＰ−Ｐ）を使用して、スイッチ／増幅器４０のスイッチング機能を制御する。従来の発振器を使用して、テレビジョン・システム内にトーン信号が発生され、トーン信号は同軸ケーブルの中心導体に供給されまたは中心導体から除去される。トーン信号は、存在すると、スイッチング回路６１０に供給され整流される。回路６１０は、トーン整流回路（Ｃ９，Ｄ４，Ｄ５，Ｃ１０）を含む。整流されたトーン信号は、トランジスタＱ５とＱ２を導通状態にする。従って、調整されたＤＣ電圧（例えば、８ボルト）はトランジスタＱ２を介して節点Ｖ２′に供給される。他方、トランジスタＱ１は非導通状態となり、節点Ｖ１′はゼロ・ボルトになる。その結果、トランジスタＱ３とＰＩＮダイオードＤ２は導通し、トランジスタＱ４とＰＩＮダイオードＤ１はカットオフされる。従って、スイッチ／増幅回路６００は入力Ａを選択する。
第７図は、同軸ケーブルの中心導体にトーン信号を付加することのできる、ＤＣ電源回路７００を示す。このＤＣ電源回路は、第１図と第４図に示すような周波数変換器１１に異なるＤＣ電源電圧を供給する目的で、テレビジョン・システム（例えば、衛星チューナまたはテレビ受像機）に使用することができる。また、第７図の回路で発生される電圧は、変換器１１で受信される信号の円偏波（右旋または左旋円偏波）を選択する。また、第７図の電源回路は、第６図に示すスイッチ／増幅器６００のためにＤＣ電力を供給することができる。第７図に示す回路の或る特徴は、米国特許第５，５６３，５００号から知られる。第７図に示す回路の他の特徴は以下に説明する。
第７図で、２つの制御状態を有する制御信号が、抵抗７１０の１つの端子に結合される。各制御状態により、第７図の回路は第７図の出力端子７３０において異なるＤＣ電圧を発生する。例えば、０Ｖの制御信号の状態は端子７３０において１３Ｖを発生し、５Ｖの制御信号の状態は端子７３０において１７Ｖを発生する。典型的に、出力端子７３０は、同軸ケーブルの中心導体を通して、第１図と第４図に示すような周波数変換器またはＬＮＢに結合される。各電圧によって、変換器１１は異なる信号偏波を受け取る。例えば、１３ボルトによって、変換器１１は右旋円偏波された信号を受信し、１７Ｖにより変換器１１は左旋円偏波された信号を受信する。
また第７図において、２２ｋＨｚ“トーン”信号は、コンデンサＣ５を介して、増幅器Ｕ１の正の入力に結合される。２２ｋＨｚトーン信号が存在するとき、増幅器Ｕ１とトランジスタＱ２およびＱ３は、この２２ｋＨｚ信号を端子７３０において出力信号に結合させる。この回路は、端子７３０における信号が２２ｋＨｚの信号（存在するとき）および選択されたＤＣレベル（例えば、１３Ｖまたは１７Ｖ）を含むように動作する。出力信号内のトーン信号の有無は、第６図のスイッチング回路で検出され、折返しボウタイ・アンテナの入力信号を切り替えるのに使用される。従って、第７図の回路は、信号の偏波とアンテナの切替えを独立して制御するために、端子７３０において、ＡＣとＤＣの制御信号を合成している出力信号を発生する。また、端子７３０で発生されるＤＣ電圧は第６図のスイッチング増幅器の電源として使用される。制御信号の特定の状態および２２ｋＨｚトーン信号の有無は、テレビジョン・システム内の制御装置、例えば、マイクロコントローラ（図示せず）、により定められる。例えば、使用者はリモコンの特定のキーを作動させて、特定の信号偏波を選択し、あるいは折返しボウタイ・アンテナの切替えを開始させる。キーの作動により、リモコン信号が発生され、マイクロコントローラで受信される。マイクロコントローラは、リモコン信号を処理して、適正な機能を選択する。例えば、マイクロコントローラは、第７図の抵抗Ｒ１６に供給される制御信号の適正な状態を発生し、あるいはスイッチを制御して、２２ｋＨｚ信号をコンデンサＣ５に結合（または減結合）させる。
スイッチ／増幅器４０のスイッチング動作は幾つかの異なる方法で開始することができる。例えば、使用者はリモコンを使用して、チャンネルからチャンネルへと、折返しボウタイ・アンテナの１つを手動で選択することができる。第２に、この選択はマイクロコンピュータ・システムで自動的に行なうことができる；マイクロコンピュータ内には、それぞれのアンテナの選択と結びつくチャンネルに関する情報が貯えられている。或る特定のテレビ放送のチャンネルについてどちらか１つのアンテナを使用者が選択すると、あとで同じチャンネルを選択したときに再び同じアンテナが自動的に選択される。第３に、マイクロコンピュータ・システムは、受信したＶＨＦ／ＵＨＦテレビ信号のレベルを示す自動利得制御（ＡＧＣ）信号を測定することにより、ＶＨＦ／ＵＨＦアンテナのうち良い方を自動的に選択することもできる。この自動的選択は、テレビ受像機のいわゆる“オート・プログラム（ａｕｔｏ  ｐｒｏｇｒａｍ）”の間に行われる。もし必要なら、この選択はあとで使用者が手動で変更できることが好ましい。上述のアンテナ自動選択法はチャンネルの素早い選択、“チャンネル・サーフィン（ｃｈａｎｎｅｌ  ｓｕｒｆｉｎｇ）”と呼ばれることもある、を可能にすることにより使用者の役に立つ。
第８図は、１対のスイッチ式直交折返しボウタイ・アンテナのアンテナ・パターンを示す。点線はディッシュ上のアンテナ２３０のパターンを表し、実線は、第４図に示す周波数変換支持アーム１２０の下に取り付けられるアンテナ４３０のパターンを表す。全指向性アンテナ（すなわち、３６０度をカバーするアンテナ）と比較して、電位の多重通路および妨害の半分は２個の折返しボウタイ・アンテナを切り替えることにより除去されることが確かめられている。
第９−ａ図は、二目的アンテナの別の実施例を示す。第９−ａ図で、導電性のスクリーンが、絶縁性の成形合成物質（例えば、プラスチック）に埋め込まれ、ディッシュ形の反射器８００を形成する。スクリーンは折返しボウタイ形に容易に作れないので、比較的簡単な形状を使用すべきである。好ましいスクリーンの実施例は、上述のように、１／８インチ（３．０ｍｍ）以下の最少分離ギャップを有する２つの部分にスクリーンを分割することである。分割された導電性スクリーンはやはりマイクロ波信号を反射することができ、分割された部分はダイポール型のＶＨＦおよびＵＨＦアンテナをそれぞれ形成する。これらの形状も、先に述べたように、導電性塗料で形成できる。
第９−ａ図で、導電性スクリーンは縦と横に分割されている。スクリーンの下部９３０は、最適のＵＨＦ受信を得るためにダイポール型のＵＨＦアンテナとして動作するように設計され、上部９４０は下部９３０と組み合わさってＶＨＦアンテナとなる。下部９３０は、最適のＶＨＦ受信を得るために、ＶＨＦテレビジョン周波数の範囲内で上部と結合される。無線周波数（ＲＦ）フィルタ９１０，９２０は結合手段として使用される。各フィルタは、アマチュア・ラジオのダイポール・アンテナに使用されるものと同様な、簡単な並列共振トラップであるか、または第９−ｂ図に示すような高域フィルタである。このような変形も導電性塗料で形成することができる。導電性塗料をディッシュ上にマスキングすることにより開発することのできるＲＦフィルタもある。
第１０図は、導電性メッシュ型反射器のための例示的アンテナ・システムを示す。ディッシュ内のダイポール型アンテナの出力は、バルン変成器に結合され、つぎに、ダイプレクス・フィルタ（たとえば、Ｃｈａｎｎｅｌ  Ｍａｓｔｅｒ  ４００１  ＩＦＤ型）の入力の１つに結合される。ダイプレクス・フィルタのその他の入力も周波数変換器の出力に結合され、衛星からマイクロ波の放送信号を受信する。ダイプレクス・フィルタの合成された出力は、１本の同軸ケーブル（２本でない）を介してテレビジョン・システムに結合される。ここで、もう１つ別のダイプレクス・フィルタが、合成された信号からＶＨＦ／ＵＨＦ信号と衛星信号を分離し、そのため、従来のＶＨＦ／ＵＨＦテレビ受像機および衛星チューナは分離されたこの２つの信号をそれぞれ受信することができる。
第１０図に示すＶＨＦ／ＵＨＦ受信システムの実施例では、放送局が近く（例えば、２０マイル以内）にある場合に良好な信号受信が得られることが判明している。第１１−ａ図に示すように、放射状のロッドをスクリーンの部分に取り付けることにより、ＶＨＦ／ＵＨＦ受信を更に改善させることができる。放射状ロッドは、埋込み式ダイポール・アンテナを双円錐アンテナと同様に機能させる。
“無限”双円錐アンテナの一定の入力インピーダンス（Ｒｉ）は以下の式で表される。
Ｒｉ＝１２０ｌｎ  ｃｏｔ  Θhc／２（オーム）
ここで、Θhcは第１１−ｂ図に示すとおりである。アンテナ素子の長さが受信周波数の１波長以下である、有限双円錐アンテナの場合、アンテナの入力インピーダンスはリアクタンス性となる。従って、“円錐”部分（すなわち、スクリーン）の有効長を増すことが望ましい。アンテナの背後から放射状に伸長するロッドまたはワイヤが付加される。これらのロッドは第１１−ｂ図に示すような角度θhcであり、アンテナの入力インピーダンスを制御すると共に、ＶＨＦ／ＵＨＦ放送周波数帯域の範囲内で比較的低い周波数の信号の受信を特に改善させる。
“プログラム可能なディジタル・イコライザー”として知られている、最近のＮＴＳＣ受信技術の発達は、二目的アンテナ・システムを改良するために特に有利である。何故なら、イコライザーはＮＴＳＣローカル放送信号についての多重通路および妨害の問題を更に減らすことができるからである。
本発明はある程度の特定性をもって説明してきたが、本開示は一例としてなされ、構成の細部の変更は本発明の精神から逸脱することなく行われることが理解される。例えば、二目的用のアンテナは、ディジタル／アナログ・テレビジョン信号を受信するためだけでなく、ディジタル／アナログ音声またはデータ信号を受信するために使用することができる。
【図１】
0003836883.tif 000002
【図２ａ】
0003836883.tif 000003
【図２ｂ】
0003836883.tif 000004
【図２ｃ】
0003836883.tif 000005
【図２ｄ】
0003836883.tif 000006
【図３】
0003836883.tif 000007
【図４】
0003836883.tif 000008
【図５】
0003836883.tif 000009
【図６】
0003836883.tif 000010
【図７】
0003836883.tif 000011
【図８】
0003836883.tif 000012
【図９ａ】
0003836883.tif 000013
【図９ｂ】
0003836883.tif 000014
【図１０】
0003836883.tif 000015
【図１１ａ】
0003836883.tif 000016
【図１１ｂ】
0003836883.tif 000017